(57)【要約】      （修正有）【課題】ワイヤレスリンクの接続喪失後、ワイヤレスリンクを回復する方法を提供する。【解決手段】ワイヤレスブリッジは、ワイヤレスリンクを提供するためのブリッジアクセスポイント及びブリッジステーションを含み、マルチキャストデータ接続は、ワイヤレスブリッジを経由してＬＡＮアクセスポイント及びレシーバの間で確立され、ブリッジアクセスポイントによって受信されるＬＡＮアクセスポイントからのマルチキャストデータストリームをブリッジステーションに転送することと（１１０）、ワイヤレスリンクの接続喪失後、ワイヤレスリンクを回復することと（１２０）、ワイヤレスリンクが回復したとき、ブリッジステーションによってレシーバにクエリメッセージを送信すること（１３０）を含む。【選択図】図４
2017139744.tif 000002
【特許請求の範囲】
【請求項１】
ＬＡＮアクセスポイント（１）、前記ＬＡＮアクセスポイントとリンクしたワイヤレスブリッジ（Ｂ１、Ｂ２）及び前記ワイヤレスブリッジとリンクしたレシーバ（２）を含むローカルエリアネットワーク（ＬＡＮ）におけるワイヤレスリンク（３）の動作方法であって、前記ワイヤレスブリッジは、前記ワイヤレスリンクを提供するためのブリッジアクセスポイント（Ｂ１）及びブリッジステーション（Ｂ２）を含み、マルチキャストデータ接続は、前記ワイヤレスブリッジを経由して前記ＬＡＮアクセスポイント及び前記レシーバの間で確立され、
前記方法は、
前記ブリッジアクセスポイントによって受信される前記ＬＡＮアクセスポイントからのマルチキャストデータストリームを前記ブリッジステーションに転送することと（１１０）、
前記ワイヤレスリンクの接続喪失後、前記ワイヤレスリンクを回復することと（１２０）、
前記ワイヤレスリンクが回復したとき、前記ブリッジステーションによって前記レシーバにクエリメッセージを送信し、前記レシーバによって前記マルチキャストストリームを再開する参加リクエストメッセージの送信を開始することと（１３０）、を含む方法。
【請求項２】
前記ワイヤレスリンクが回復後、途切れなく、前記ブリッジステーションによって、前記レシーバに速やかに前記クエリメッセージを送信することを、含む請求項１に記載の方法。
【請求項３】
前記マルチキャストストリームを再開するために、前記ブリッジステーションにおける前記レシーバから前記参加リクエストメッセージを受信する（１４０）、請求項１又は２に記載の方法。
【請求項４】
前記クエリメッセージ及び前記参加リクエストメッセージは、インターネットグループマネジメントプロトコル（ＩＧＭＰ）に従う、請求項１乃至３のいずれか１項記載の方法。
【請求項５】
ワイヤレスリピータ（Ｒ）は、前記ローカルエリアネットワークに含まれ、前記ブリッジアクセスポイント及び前記ブリッジステーションの間のワイヤレスリンクを提供するように構成され、前記方法は、
前記ブリッジアクセスポイントによって受信される前記ＬＡＮアクセスポイントからのマルチキャストデータストリームを前記リピータ経由で前記ブリッジステーションに転送することと、
前記ワイヤレスリンクの接続喪失の後、前記ワイヤレスリンクを回復し、前記ワイヤレスリンクが回復したとき、前記ブリッジステーションによって前記レシーバにクエリメッセージを送信し、前記レシーバによって、前記マルチキャストストリームを再開する参加リクエストメッセージの伝送を開始することと、を含む請求項１乃至４のいずれか１項記載の方法。
【請求項６】
前記データストリームはビデオストリームであり、前記ワイヤレスブリッジは、ビデオブリッジであり、そして、前記レシーバは、ビデオレシーバである、請求項１乃至５のいずれか１項記載の方法。
【請求項７】
前記ビデオレシーバは、セットトップボックス、衛星レシーバ又はテレビジョンセットである、請求項６に記載の方法。
【請求項８】
第１のマイクロプロセッサを有するブリッジアクセスポイント及び第２のマイクロプロセッサを有するブリッジステーションを含み、請求項１乃至７のいずれか１項記載の方法を実行するように構成された、ワイヤレスブリッジ。
【請求項９】
請求項１乃至７のいずれか１項記載の方法を実行するための実行可能プログラムコードを含む、マイクロプロセッサで読取り可能な、非一時的プログラム記憶媒体。
【請求項１０】
請求項１乃至７のいずれか１項記載の方法を実行するための実行可能プログラムコードを含むコンピュータプログラム。
【発明の詳細な説明】
【技術分野】
【０００１】
本開示は、デジタル加入者回線を経由して、顧客にブロードバンドサービスを供給するサービスプロバイダに接続する加入者宅内機器の分野に関連し、より具体的にはネットワーク内のワイヤレスマルチキャストビデオ配信の領域に関連する。
【背景技術】
【０００２】
アクセスゲートウェイは、インターネット又は他のワイドエリアネットワーク（ＷＡＮ）に顧客の家庭内のデバイス又は企業のデバイスを接続するために広く使用されている。アクセスゲートウェイは、例えば、銅線を通して高いデータレート伝送を可能にするデジタル加入者回線（ＤＳＬ）、又は光ファイバー技術を使用する。ネットワークオペレータ、例えば、ネットワークサービスプロバイダ（ＮＳＰ）は、本文脈で、加入者宅内機器（ＣＰＥ）デバイスとして理解される大量のアクセスゲートウェイ、及びルータ、スイッチ、リピータ、ワイヤレスブリッジ及び電話などの他のデバイスも管理する。
【０００３】
ワイヤレス技術を含むアクセスゲートウェイは、今日の家庭及び仕事の環境において重要な役割を有する。ローカルエリアネットワーク（ＬＡＮ）にワイヤレスデバイスを接続するメカニズムは、いわゆるＷｉ−Ｆｉで、それは、ワイヤレスデータ伝送のための標準のＩＥＥＥ８０２．１１ファミリーを使用するデバイスに対するＷｉ−Ｆｉアライアンスのブランド名である。ＩＥＥＥ８０２．１１標準は、２種類のワイヤレスノードを規定し、それらは、ステーション（ＳＴＡと示す）と呼ばれる他のデバイスに接続できる一般的なワイヤレスデバイス、及びネットワークを制御する特別な種類のＳＴＡ、すなわち、アクセスポイント（ＡＰと示す）である。Ｗｉ−Ｆｉネットワークは、しばしば、ＷＬＡＮ（ワイヤレスローカルエリアネットワーク）と呼ばれ、ＡＰに接続された１つ以上のＳＴＡを有するＡＰで構成される。
【０００４】
ビデオストリーミングは、例えば、インターネットプロトコルＴＶ（ＩＰＴＶ）を使用するため等で、ＬＡＮ及びＷＬＡＮ内で益々使用されている。いくつかのエンドデバイスに対するストリーミングビデオに対して、具体的には、インターネットグループマネジメントプロトコル（ＩＧＭＰ）によって定義される、マルチキャストストリーミングが使用される。ワイヤレス伝送を通してのマルチキャストビデオの提供は、ＩＥＥＥ８０２．１１におけるマルチキャストハンドリングの定義により、信頼性が低く、且つ最大スループットは低い。
【０００５】
アクセスゲートウェイ、ワイヤレスブリッジ及びリピータの範囲を広げることは知られている。家庭内のワイヤレスビデオ配信システムは、図１に表現されるような、ブリッジアクセスポイント及びブリッジアクセスステーションを含むワイヤレスブリッジとイーサネット（登録商標）リンクを経由して接続されたアクセスゲートウェイ１の実施形態である。ブリッジステーションは、例えば、セットトップボックス（ＳＴＢ）のようなレシーバ２とイーサネットリンクを経由して接続される。ワイヤレスブリッジは、例えば、ＩＥＥＥ８０２．１１標準に従ったビデオブリッジである。
【０００６】
アクセスゲートウェイ１を経由してＩＧＭＰ参加メッセージアップストリームをインタネットサービスプロバイダ（ＩＳＰ）に送信することによって、レシーバ２は、ビデオストリームに申し込む。この参加メッセージ（join  message）は、ワイヤレスブリッジによって及びアクセスゲートウェイ１によって、スヌープ（snoop）される。ＩＳＰから受信したとき、アクセスゲートウェイ１は、ブリッジアクセスポイントにマルチキャストビデオストリームの転送を開始し、ブリッジアクセスポイントは、（レイヤ２上のユニキャストを使用して）順々にそれをブリッジステーション及びさらにレシーバ２に転送する。特定のクライアントから、あるマルチキャストグループに対するＩＧＭＰ参加メッセージが見えたときにだけ、マルチキャストストリームは、そのクライアントに転送される。それ故に、ワイヤレスを通してマルチキャストビデオを転送することを目的とするすべてのワイヤレスデバイスに対して、マルチキャストからユニキャストへの変換の実行が必要となる。
【０００７】
使用される通信媒体の性質により、ワイヤレスリンクは、有線リンクよりも容易に切れやすい。ワイヤレスリンクの接続喪失（connection  loss）の場合で、ブリッジアクセスポイント及びブリッジステーションの間でワイヤレスリンクが回復したとき、レシーバ２は、マルチキャストデータストリームのリクエストを再度しなければならない。イーサネットリンクは、ダウンしていないので、ワイヤレスリンク３の接続喪失及び再確立の後で、アクセスゲートウェイ１及びレシーバ２において特定のアクションは何ら開始されない。アクセスゲートウェイ１は、切断によって自身の接続テーブル（connection  table）がクリアされ、そのクライアントに対して自身が知っていたすべてのマルチキャストグループを失う。
【０００８】
結果として、クライアントが再度接続したときに、マルチキャストビデオストリームは回復されず、ビデオを再びプレイするためにはユーザのインタラクション（例えば、同じチャネルへの切り替え等）が必要となるか、又はシステムがマルチキャストグループの加入（subscription）をリフレッシュするまで（通常は定期的にされる）ユーザは待たなければならず、その結果、ワイヤレスリンクの回復の後で、ビデオ再生の追加の遅延が発生する。
【０００９】
信頼性のあるマルチキャストワイヤレスビデオ伝送に関するゲートウェイについては、米国特許８，３７４，１１３号明細書に記載されている。
【先行技術文献】
【特許文献】
【００１０】
【特許文献１】米国特許８３７４１１３号明細書
【発明の概要】
【００１１】
本発明は、ＬＡＮアクセスポイント、ＬＡＮアクセスポイントとリンクしたワイヤレスブリッジ及びワイヤレスブリッジとリンクしたレシーバを含むローカルエリアネットワークにおけるワイヤレスリンクの動作方法であって、ワイヤレスブリッジは、ワイヤレスリンクを提供するためのブリッジアクセスポイント及びブリッジステーションを含み、マルチキャストデータ接続は、ワイヤレスブリッジを経由してＬＡＮアクセスポイント及びレシーバの間で確立され、この方法は、ブリッジアクセスポイントによって受信されるＬＡＮアクセスポイントからのマルチキャストデータストリームをブリッジステーションに転送することと、ワイヤレスリンクの接続喪失後、ワイヤレスリンクを回復することと、ワイヤレスリンクが回復したとき、ブリッジステーションによってレシーバにクエリメッセージを送信することを含む。可能な限り早くマルチキャストデータ接続を再確立するために、ワイヤレスリンクが回復後、途切れなく、ブリッジステーションによって、レシーバに特に速やかにクエリメッセージが送信される。
【００１２】
本開示の態様によると、クエリメッセージ及び参加リクエストメッセージは、インターネットグループマネジメントプロトコルに従ったメッセージである。
【００１３】
好ましい実施形態によると、ビデオサーバーは、セットップボックス、衛星レシーバ又はテレビジョンセットで、データストリームは、ビデオストリームである。
【００１４】
ワイヤレスブリッジは、第１のマイクロプロセッサを有するブリッジアクセスポイント及び第２のマイクロプロセッサを有するブリッジステーションを含み、本方法を実行するように構成される。
【００１５】
コンピュータプログラムは、本方法を実行するための実行可能プログラムコードを含む。
【００１６】
コンピュータによって読み取り可能な非一時的プログラム記憶媒体は、本方法を実行するための実行可能プログラムコードを含む。
【００１７】
本開示の好ましい実施形態は、概略図面を参照する実例の方法によって下記でさらに詳細に説明される。
【図面の簡単な説明】
【００１８】
【図１】ワイヤレスブリッジ経由でレシーバと接続されたアクセスゲートウェイを説明する図である。
【図２】ワイヤレスブリッジ経由でレシーバと接続され、本原理による方法を実行するアクセスゲートウェイの説明である。
【図３】図２のワイヤレスブリッジのさらに詳細な説明である。
【図４】ローカルエリアネットワークにおけるワイヤレスリンクを動作させる方法を説明するフローチャートである。
【図５】ブリッジアクセスポイント及びブリッジステーションの間に接続されたワイヤレスリピータを含むローカルエリアネットワークを説明する。
【発明を実施するための形態】
【００１９】
図に示された要素は、ハードウェア、ソフトウェア又はその組み合わせの様々な形式で実装できることを理解されたい。好ましくは、これらの要素は、１つ以上の適切にプログラム可能な汎用デバイス上でハードウェア及びソフトウェアの組合せにおいて実装され、この汎用デバイスは、プロセッサ、メモリ及び入力／出力インタフェースを含む。本明細書中で、「結合された（coupled）」という表現は、直接に接続された、又は１つ以上の中間のコンポーネントを通じて、間接的に接続された、という意味であると定義する。そのような中間のコンポーネントは、ハードウェア及びソフトウェアをベースとしたコンポーネントの両方を含むことができる。
【００２０】
本説明は、本開示の原理を説明する。当業者は、従って、本明細書で明示的に説明されておらず、示されていないとしても、本開示の原理を具体化する様々な構成を考案することができ、それらは、本範囲の範囲内に含まれることを理解できる。
【００２１】
本明細書で列挙されたすべての実例および仮定的な用語は、読者の本開示の原理及び技術の促進に対して発明者が寄与した概念の理解を助けるための教育的な目的を意図し、そのような具体的に列挙された実例及び条件に制限されず解釈されるべきである。
【００２２】
さらに、本明細書中で本開示の原理、態様、及び実施形態を引用するすべての表現、及びそれらの特定の実例は、それらの構造的及び機能的均等物の両方を含むことを意図する。その上、そのような均等物は、現在知られている均等物と同様に将来開発される均等物、すなわち、構造にかかわらず同じ機能を実行するように開発されたいかなる要素も含むことを意図する。
【００２３】
それ故に、例えば、本明細書で提示されたブロック図は、本開示の原理を具体化する例示的な回路の概念的な図を表すことを当業者は理解する。同様に、コンピュータ読み取り可能媒体中に実質的に表現され、そのようなコンピュータ又はプロセッサが明示的に示されていてもいなくてもコンピュータ又はプロセッサによって実行される得る様々なプロセスをフローチャート、フロー図、状態遷移図、擬似コード等は表すことを理解されたい。
【００２４】
図に示された様々な要素の機能は、専用のハードウェア及び適切なソフトウェアと関連してソフトウェアを実行する能力のあるハードウェアの使用を通して提供することができる。プロセッサによって提供されるときは、単一の専用プロセッサによって、単一の共用プロセッサによって、又はそのうちのいくつが共用され得る独立した複数のプロセッサによって、機能を提供することができる。さらに、「プロセッサ（processor）」又は「コントローラ（controller）」という用語の明示的な使用は、ソフトウェアを実行する能力のあるハードウェアの排他的な参照と解釈されるべきではなく、これら用語は、制限なく、デジタルシグナルプロセッサ（「ＤＳＰ」）ハードウェア、ソフトウェアを記憶するためのリードオンリメモリ（「ＲＯＭ」）、ランダムアクセスメモリ（「ＲＡＭ」）、及び不揮発性記憶装置を黙示的に含む。
【００２５】
標準の及び／又はカスタムの他のハードウェアも含むことができる。同様に、図に示されたスイッチは、単に概念的なものである。これらの機能は、プログラムロジックの動作を通して、専用のロジックを通して、プログラム制御及び専用ロジックの相互作用を通して、又は手動によっても実行することができ、本文脈からより具体的に理解されるように、特定の技術は、実装者によって選択される。
【００２６】
本願の請求項において、特定の機能を実行する手段として表現される要素は、例えば、ａ）その機能を実行する回路要素の組合せ、又はｂ）機能を実行するソフトウェアを実行する適切な回路と組合された、ファームウエア、マイクロコード等を含むいかなる形式のソフトウェアも含む機能を実行する方法を包含する意図である。そのような請求項に規定された本開示は、様々な列挙された手段によって提供される機能性は請求項で請求される方法で組み合わされ及び寄せ集められるという事実に存在する。従って、これらの機能性を提供することができるいかなる手段も本明細書に示されたものと均等と見なされる。
【００２７】
以下の説明において、ＬＡＮアクセスポイント及びワイヤレスブリッジを含むローカルエリアネットワーク（ＬＡＮ）におけるワイヤレスリンクの制御の実例となる方法、及びこの方法を実行する個別のワイヤレスブリッジが説明される。ＬＡＮアクセスポイントは、特に、顧客にブロードバンドサービスを配信するサービスプロバイダにデジタル加入者回線経由で接続されたＣＰＥデバイスである。説明のために、好ましい実施形態の理解を通して提供するためにいくつかの特定の詳細が説明される。しかしながら、本原理がそれらの詳細な説明なしに実施できることは当業者にとって明らかとなる。
【００２８】
実施形態におけるＬＡＮは、図２に示されるように、ＬＡＮアクセスポイントを代表するアクセスゲートウェイ１を含み、アクセスゲートウェイ１は、イーサネットリンクＥ１を経由してワイヤレスブリッジ及び少なくとも１つのレシーバ２に接続される。ワイヤレスブリッジは、ワイヤレスリンク３を提供するブリッジアクセスポイントＢ１及びブリッジステーションＢ２から構成される。レシーバ２は、具体的には、ビデオレシーバ、例えば、セットトップボックス、衛星レシーバ又はテレビジョンセットである。ブリッジステーションＢ２及びレシーバ２は、第２のイーサネットリンクＥ２を経由して接続される。ワイヤレスブリッジは、例えば、ＩＥＥＥ８０２．１１標準に従うビデオブリッジである。ＬＡＮは、例えば、エンドユーザのホーム（home）ネットワーク、又は企業の（enterprise）ネットワーク、又は行政の（administration）ネットワーク等である。
【００２９】
本発明の別の実施形態によると、ブリッジアクセスポイントＢ１は、ゲートウェイ１に組み込まれ、ブリッジステーションＢ２は、レシーバ２に組み込まれる。
【００３０】
図２のビデオブリッジのいくらかの詳細は、図３に概略的に示される：ブリッジアクセスポイントＢ１及びブリッジステーションＢ２は、ワイヤレスリンク３を経由してリンクされる。マイクロプロセッサ１０、メモリ１１、ワイヤレスリンク３のためのワイヤレスノード１２、メモリ１１に記憶されたオペレーティングシステム１３及びイーサネットポートＥを備える回路をブリッジアクセスポイントＢ１は含む。マイクロプロセッサ２０、メモリ２１、ワイヤレスリンク３のためのワイヤレスノード２２、メモリ２１に記録されたオペレーティングシステム２３及びイーサネットポートＥを備える第２の回路をステーションＢ２は含む。ワイヤレスノード１２は、物理レイヤ１４及びリンクレイヤ１５を含み、そして、ワイヤレスノード２２は、物理レイヤ２４及びリンクレイヤ２５を含む。
【００３１】
この実施形態において、図２に関連して説明され、ブリッジアクセスポイントＢ１及びブリッジステーションＢ２を備えるワイヤレスブリッジによって確立された、ワイヤレスリンクの動作方法が、図４に示される。ワイヤレスリンク３は、ブリッジアクセスポイントＢ１及びブリッジステーションＢ２を含むワイヤレスブリッジによって制御される（１００）。ワイヤレスブリッジＢ１、Ｂ２は、アクセスポイント１によって受信されるように、マルチキャストデータストリームをワイヤレスリンク３を経由して、レシーバ２に転送する（１１０）。ワイヤレスブリッジＢ１、Ｂ２によってスヌープされるＩＧＭＰ参加リクエストメッセージを使用することによってレシーバ２によって、マルチキャストデータストリームはリクエストされる。
【００３２】
ワイヤレスリンク３の接続喪失の場合、マルチキャストデータストリームは、中断され、アクセスポイント１は、マルチキャストリストからレシーバ２を削除する。例えば、強い干渉信号（interference  signal）、又はブリッジステーションＢ２がブリッジアクセスポイントＢ１の範囲外に移動したという理由によって、ワイヤレスリンク３は、中断される。
【００３３】
ワイヤレスリンク３の接続喪失の中断を引き起こす条件が取り除かれたらすぐに、ワイヤレスリンク３は、ワイヤレスアクセスポイントＢ１及びブリッジステーションＢ２の間で回復される（１２０）。ワイヤレスリンクが中断される前にマルチキャストデータストリームがアクセスゲートウェイ１からレシーバ２に送られていたことをＩＧＭＰのスヌーピングによってワイヤレスブリッジは知っているので、従って、ブリッジステーションＢ２は、直ちにレシーバ２にクエリメッセージを送信する（１３０）。レシーバ２は、次に、ブリッジステーションＢ２への参加リクエストメッセージを有するクエリメッセージに応答し、マルチキャストデータストリームを再確立する（１４０）。ブリッジステーションＢ２は、次に、レシーバ２の参加リクエストメッセージをブリッジアクセスポイントＢ１経由でアクセスゲートウェイ１に転送し、マルチキャストデータストリームを再開する（renew）（１５０）。
【００３４】
ワイヤレスリンク３が回復された後、レシーバ２は、もはやマルチキャストデータストリームに興味がない場合は、次に、レシーバ２は、ブリッジステーションＢ２の参加リクエストメッセージに応答せず、依然としてリクエストされた場合は、マルチキャストデータストリームを再確立のみし、必要な場合は、ワイヤレスリンク３にロードしない。
【００３５】
マルチキャストデータストリームは、例えば、マルチキャストビデオストリームであり、レシーバは、テレビジョン受像機、又はセットトップボックスである。ワイヤレスリンク３の中断によって生じるマルチキャストビデオストリームの中断をできるだけ短く保つために、マルチキャストビデオストリームが再確立されると直ぐに、テレビジョン受像機は、そのために、ビデオの表示を再開する。テレビジョンセットは、ワイヤレスリンク３が再確立されたときを知らないので、テレビジョンセットのユーザによって、又はテレビジョンセット自身によって、何らのアクションは取られる必要はない。
【００３６】
別の実施形態によると、ワイヤレスリピータＲは、図５に説明されるように、ブリッジアクセスポイントＢ１及びブリッジステーションＢ２の間のＬＡＮに含まれる。ワイヤレスリピータＲによって、ブリッジアクセスポイントＢ１の範囲を広げることができる。この実施形態において、ブリッジアクセスポイントＢ１及びワイヤレスリピータＲの間のワイヤレスリンク５０及びワイヤレスリピータＲ及びブリッジステーションＢ２の間のワイヤレスリンク５１を使用することによって、ゲートウェイ１、ブリッジアクセスポイントＢ１、ワイヤレスリピータＲ及びブリッジステーションＢ２を経由して、マルチキャストデータストリームは、レシーバ２に伝送される。ワイヤレスリンク５０又はワイヤレスリンク５１の接続喪失及びそれに続く接続回復（connection  recovery）の場合、ブリッジステーションＢ２は、図４に関して説明されるように動作する。ブリッジアクセスポイントＢ１及びブリッジステーションＢ２の間のワイヤレスリンクが再確立された後、ブリッジステーションＢ２は、直ちにクエリメッセージをレシーバ２に送信し、レシーバ２に対してマルチキャストデータストリームを再開する。
【００３７】
ブリッジステーションＢ２が、ＬＡＮ内の別の場所、例えばブリッジアクセスポイントＢ１に近い場所に移動した場合、ブリッジアクセスポイントＢ１及びブリッジステーションＢ２との間に直接ワイヤレスリンク５２を確立することは有利であり得る。また、この場合、ワイヤレスリンク５２が確立されたとき、ブリッジステーションＢ２がクエリメッセージを直ちにレシーバ２に送信し、マルチキャストデータストリームを続ける。ワイヤレスリピータＲがある場合、ブリッジステーションＢ２は、それから、ブリッジアクセスポイントＢ１からワイヤレスリピータＲへローミングすることができ、また逆も同様である。何れの場合も、ワイヤレスリンク５１又は５２が再確立されるとすぐに、マルチキャストデータストリームは直ちに再確立される。
【００３８】
レシーバ２が、依然としてマルチメディアデータストリームに興味がある場合に、マルチキャストデータストリームが再確立のみされるという利点を、説明した方法は有する。ワイヤレスブリッジによってワイヤレスリンク３が回復された後の非常に短い時間のうちにマルチキャストデータストリームが再確立されるので、マルチキャストデータストリームを回復するために、レシーバ２又はユーザからのアクションは必要とされない。
【００３９】
当業者によって、本開示の範囲から逸脱することなく、他の実施形態も、利用することができる。本開示は、従って、本明細書に添付された請求項に属する。
【図１】
2017139744.tif 000003
【図２】
2017139744.tif 000004
【図３】
2017139744.tif 000005
【図４】
2017139744.tif 000006
【図５】
2017139744.tif 000007
【外国語明細書】
2017139744000001.pdf